(57)【要約】【課題】半導体装置の製造工程において基板を厚み方向に貫通する貫通孔の内側面に絶縁膜を適切に形成しつつ、当該半導体装置の製造工程のスループットを向上させる。【解決手段】ウェハ１０を厚み方向に貫通する貫通孔４０〜４２内に電着絶縁膜溶液Ｄを供給した後、接地用貫通孔４０内の電着絶縁膜溶液Ｄを陰極とし、電源用貫通孔４１内の電着絶縁膜溶液Ｄと信号用貫通孔４２内の電着絶縁膜溶液Ｄをそれぞれ陽極として電圧を印加する。そして、バルク層１１における電源用貫通孔４１の内側面と、バルク層１１における信号用貫通孔４２の内側面に、それぞれ電着絶縁膜５０を形成し、さらに当該電着絶縁膜５０の形成状態を検査する。【選択図】図９
2014082291.tif 000002
【特許請求の範囲】
【請求項１】
半導体装置の製造方法であって、
基板を厚み方向に貫通する第１の貫通孔内に導電性の絶縁膜溶液を供給すると共に、基板を厚み方向に貫通する第２の貫通孔内に導電性液を供給する第１の工程と、
前記第１の貫通孔内の絶縁膜溶液と前記第２の貫通孔内の導電性液との間に電圧を印加し、前記第１の貫通孔の内側面において、絶縁膜を形成する又は絶縁膜の形成状態を検査する第２の工程と、を有することを特徴とする、半導体装置の製造方法。
【請求項２】
前記基板は導電層と絶縁層が積層されて構成され、
前記第２の工程において、前記導電層における前記第１の貫通孔の内側面において、前記絶縁膜を形成する又は前記絶縁膜の形成状態を検査することを特徴とする、請求項１に記載の半導体装置の製造方法。
【請求項３】
前記第１の貫通孔と前記第２の貫通孔は、それぞれ基板に複数形成され、
前記第２の工程において、複数の前記第１の貫通孔内の絶縁膜溶液を一の極とし、複数の前記第２の貫通孔内の導電性液を他の極として電圧を印加し、前記第１の貫通孔の内側面において、前記絶縁膜を選択的に形成する又は前記絶縁膜の形成状態を検査することを特徴とする、請求項１又は２に記載の半導体装置の製造方法。
【請求項４】
前記第２の工程において、前記第１の貫通孔内の絶縁膜溶液と前記第２の貫通孔内の導電性液との間を流れる電流の電流値を測定し、前記測定された電流値の変化により前記絶縁膜の形成状態を検査することを特徴とする、請求項１〜３のいずれかに記載の半導体装置の製造方法。
【請求項５】
前記第２の工程において、前記第１の貫通孔内の絶縁膜溶液と前記第２の貫通孔内の導電性液との間に電圧を印加して、当該絶縁膜溶液と導電性液との間を流れる電流の電流値を測定し、前記測定された電流値に基づいて前記絶縁膜の形成の適否を検査し、
前記検査の結果、前記絶縁膜が適切に形成されず前記電流が確認された場合には、前記第１の貫通孔内の絶縁膜溶液と前記第２の貫通孔内の導電性液との間に電圧をさらに印加して、前記第１の貫通孔の内側面に前記絶縁膜を形成することを特徴とする、請求項１〜４のいずれかに記載の半導体装置の製造方法。
【請求項６】
前記第１の貫通孔は基板に複数形成され、
前記第２の工程において、対の前記第１の貫通孔内の絶縁膜溶液間に電圧を印加して、当該絶縁膜溶液間を流れる電流の電流値を測定し、前記測定された電流値に基づいて前記絶縁膜の形成の適否を検査し、
前記検査の結果、前記絶縁膜が適切に形成されず前記電流が確認された場合には、前記対の第１の貫通孔内の絶縁膜溶液間に電圧をさらに印加して、当該第１の貫通孔の内側面に前記絶縁膜を形成することを特徴とする、請求項１〜５のいずれかに記載の半導体装置の製造方法。
【請求項７】
前記第２の貫通孔は、接地線に接続される貫通電極用の貫通孔であることを特徴とする、請求項１〜６のいずれかに記載の半導体装置の製造方法。
【請求項８】
前記第２の貫通孔は、基板においてスクライブラインとなる領域に形成されていることを特徴とする、請求項１〜７のいずれかに記載の半導体装置の製造方法。
【請求項９】
前記第１の工程の前に、前記第１の貫通孔と前記第２の貫通孔に対応する位置にそれぞれ絶縁膜溶液と導電性液を供給する流通路を備え、且つ前記流通路に電極を備えたテンプレートを基板に対向して配置し、
前記第１の工程において、前記テンプレートの流通路から前記第１の貫通孔と前記第２の貫通孔にそれぞれ絶縁膜溶液と導電性液を供給し、
前記第２の工程において、前記テンプレートの電極を介して、前記第１の貫通孔内の絶縁膜溶液と前記第２の貫通孔内の導電性液との間に電圧を印加することを特徴とする、請求項１〜８のいずれかに記載の半導体装置の製造方法。
【請求項１０】
前記第２の貫通孔内に供給される導電性液は、前記第１の貫通孔内に供給される絶縁膜溶液と同一であることを特徴とする、請求項１〜９に記載の半導体装置の製造方法。
【請求項１１】
半導体装置であって、
導電層と絶縁層が積層された基板には、当該基板を厚み方向に貫通する第１の貫通孔と第２の貫通孔が形成され、
前記導電層における前記第１の貫通孔の内側面に絶縁膜が形成され、且つ前記絶縁層における前記第１の貫通孔の内側面には絶縁膜が形成されておらず、
前記第２の貫通孔の内側面には絶縁膜が形成されていないことを特徴とする、半導体装置。
【請求項１２】
前記第１の貫通孔内に導電性の絶縁膜溶液を供給すると共に、前記第２の貫通孔内に導電性液を供給し、前記第１の貫通孔内の絶縁膜溶液と前記第２の貫通孔内の導電性液との間に電圧を印加して、前記第１の貫通孔の内側面において、絶縁膜が形成される又は絶縁膜の形成状態が検査されることを特徴とする、請求項１１に記載の半導体装置。
【請求項１３】
前記第２の貫通孔内に供給される導電性液は、前記第１の貫通孔内に供給される絶縁膜溶液と同一であることを特徴とする、請求項１２に記載の半導体装置。
【請求項１４】
前記第１の貫通孔と前記第２の貫通孔は、それぞれ基板に複数形成されていることを特徴とする、請求項１１〜１３のいずれかに記載の半導体装置。
【請求項１５】
前記第２の貫通孔は、接地線に接続される貫通電極用の貫通孔であることを特徴とする、請求項１１〜１４のいずれかに記載の半導体装置。
【請求項１６】
前記第２の貫通孔は、基板においてスクライブラインとなる領域に形成されていることを特徴とする、請求項１１〜１５のいずれかに記載の半導体装置。
【発明の詳細な説明】
【技術分野】
【０００１】
本発明は、半導体装置の製造方法及びその製造方法で製造される半導体装置に関する。
【背景技術】
【０００２】
近年、半導体装置の高性能化が要求され、半導体デバイスの高集積化が進んでいる。かかる状況下で、高集積化された半導体デバイスを水平面内に複数配置し、これら半導体デバイスを配線で接続して半導体装置を製造する場合、配線長が増大し、それにより配線の抵抗が大きくなること、また配線遅延が大きくなることが懸念される。
【０００３】
そこで、半導体デバイスを３次元に積層する３次元集積技術が提案されている。この３次元集積技術においては、裏面を研磨することで薄化され、表面に複数の電子回路が形成された半導体ウェハ（以下、「ウェハ」という）を貫通するように、例えば１００μｍ以下の微細な径を有する電極、いわゆる貫通電極（ＴＳＶ：Ｔｈｒｏｕｇｈ  Ｓｉｌｉｃｏｎ  Ｖｉａ）が複数形成される。そして、この貫通電極を介して、上下に積層されたウェハが電気的に接続される。
【０００４】
上述した貫通電極を形成する際には、例えば貫通孔内にスパッタリングやめっきなどにより金属を埋め込んで貫通電極を形成する前に、当該貫通孔の内側面に絶縁膜が形成される。この絶縁膜は例えば蒸着重合によって形成される（特許文献１）。
【先行技術文献】
【特許文献】
【０００５】
【特許文献１】特開２００９−２３１７８３号公報
【発明の概要】
【発明が解決しようとする課題】
【０００６】
しかしながら、特許文献１に記載されたように蒸着重合によって絶縁膜を形成すると、貫通孔内や基板の裏面で膜が均一に成長するため、貫通孔の内側面だけでなく貫通孔の底部や基板の裏面上にも絶縁膜が形成されてしまう。このため、例えばレーザ加工やドライエッチングなどを用いて、貫通孔の底部や基板の裏面上の絶縁膜を選択的に除去する必要があった。したがって、半導体装置の製造工程のスループットに改善の余地があった。
【０００７】
本発明は、かかる点に鑑みてなされたものであり、半導体装置の製造工程において基板を厚み方向に貫通する貫通孔の内側面に絶縁膜を適切に形成しつつ、当該半導体装置の製造工程のスループットを向上させることを目的とする。
【課題を解決するための手段】
【０００８】
前記の目的を達成するため、本発明は、半導体装置の製造方法であって、基板を厚み方向に貫通する第１の貫通孔内に導電性の絶縁膜溶液を供給すると共に、基板を厚み方向に貫通する第２の貫通孔内に導電性液を供給する第１の工程と、前記第１の貫通孔内の絶縁膜溶液と前記第２の貫通孔内の導電性液との間に電圧を印加し、前記第１の貫通孔の内側面において、絶縁膜を形成する又は絶縁膜の形成状態を検査する第２の工程と、を有することを特徴している。
【０００９】
本発明によれば、第１の貫通孔内の絶縁膜溶液と第２の貫通孔内の導電性液との間に電圧を印加すると、当該絶縁膜溶液と導電性液との間の基板に電流が流れる。例えば絶縁膜溶液がカチオン型（陽イオン）の場合、第１の貫通孔内の絶縁膜溶液を陰極とし、第２の貫通孔内の導電性液を陽極として電圧を印加すると、第１の貫通孔の側面から第２の貫通孔の側面に向かって基板内を電流が流れる。そうすると、この電流によって第１の貫通孔の内側面に絶縁膜を形成することができる。しかも、従来の蒸着重合のように第１の貫通孔の底部や基板の裏面上に絶縁膜が形成されないので、この絶縁膜を除去する工程を省略することができる。したがって、本発明によれば、半導体装置の製造工程のスループットを向上させることができる。
【００１０】
また、第１の貫通孔内の絶縁膜溶液と第２の貫通孔内の導電性液との間に電圧を印加すると、第１の貫通孔の内側面の絶縁膜の形成状態を検査することができる。具体的には、例えば第１の貫通孔内の絶縁膜溶液と第２の貫通孔内の導電性液との間を流れる電流の電流値を測定し、測定された電流値の変化により絶縁膜の形成状態を検査する。電流が流れている状態では絶縁膜が完全に形成されておらず、電圧の印加を継続して、絶縁膜を形成する。そして、電流が流れなくなる際（電流値がゼロになる際）に、絶縁膜が完全に形成される。このように絶縁膜の形成状態を検査することで、第１の貫通孔の内側面に絶縁膜をより適切に形成することができる。
【００１１】
前記基板は導電層と絶縁層が積層されて構成され、前記第２の工程において、前記導電層における前記第１の貫通孔の内側面において、前記絶縁膜を形成する又は前記絶縁膜の形成状態を検査してもよい。
【００１２】
前記第１の貫通孔と前記第２の貫通孔は、それぞれ基板に複数形成され、前記第２の工程において、複数の前記第１の貫通孔内の絶縁膜溶液を一の極とし、複数の前記第２の貫通孔内の導電性液を他の極として電圧を印加し、前記第１の貫通孔の内側面において、前記絶縁膜を選択的に形成する又は前記絶縁膜の形成状態を検査してもよい。
【００１３】
前記第２の工程において、前記第１の貫通孔内の絶縁膜溶液と前記第２の貫通孔内の導電性液との間を流れる電流の電流値を測定し、前記測定された電流値の変化により前記絶縁膜の形成状態を検査してもよい。
【００１４】
前記第２の工程において、前記第１の貫通孔内の絶縁膜溶液と前記第２の貫通孔内の導電性液との間に電圧を印加して、当該絶縁膜溶液と導電性液との間を流れる電流の電流値を測定し、前記測定された電流値に基づいて前記絶縁膜の形成の適否を検査し、前記検査の結果、前記絶縁膜が適切に形成されず前記電流が確認された場合には、前記第１の貫通孔内の絶縁膜溶液と前記第２の貫通孔内の導電性液との間に電圧をさらに印加して、前記第１の貫通孔の内側面に前記絶縁膜を形成してもよい。
【００１５】
前記第１の貫通孔は基板に複数形成され、前記第２の工程において、対の前記第１の貫通孔内の絶縁膜溶液間に電圧を印加して、当該絶縁膜溶液間を流れる電流の電流値を測定し、前記測定された電流値に基づいて前記絶縁膜の形成の適否を検査し、前記検査の結果、前記絶縁膜が適切に形成されず前記電流が確認された場合には、前記対の第１の貫通孔内の絶縁膜溶液間に電圧をさらに印加して、当該第１の貫通孔の内側面に前記絶縁膜を形成してもよい。
【００１６】
前記第２の貫通孔は、接地線に接続される貫通電極用の貫通孔であってもよい。
【００１７】
前記第２の貫通孔は、基板においてスクライブラインとなる領域に形成されていてもよい。なお、スクライブラインとは、ウェハが切断され複数の半導体チップに分割される際のラインのことである。
【００１８】
前記第１の工程の前に、前記第１の貫通孔と前記第２の貫通孔に対応する位置にそれぞれ絶縁膜溶液と導電性液を供給する流通路を備え、且つ前記流通路に電極を備えたテンプレートを基板に対向して配置し、前記第１の工程において、前記テンプレートの流通路から前記第１の貫通孔と前記第２の貫通孔にそれぞれ絶縁膜溶液と導電性液を供給し、前記第２の工程において、前記テンプレートの電極を介して、前記第１の貫通孔内の絶縁膜溶液と前記第２の貫通孔内の導電性液との間に電圧を印加してもよい。
【００１９】
前記第２の貫通孔内に供給される導電性液は、前記第１の貫通孔内に供給される絶縁膜溶液と同一であってもよい。
【００２０】
別な観点による本発明は、半導体装置であって、導電層と絶縁層が積層された基板には、当該基板を厚み方向に貫通する第１の貫通孔と第２の貫通孔が形成され、前記導電層における前記第１の貫通孔の内側面に絶縁膜が形成され、且つ前記絶縁層における前記第１の貫通孔の内側面には絶縁膜が形成されておらず、
前記第２の貫通孔の内側面には絶縁膜が形成されていないことを特徴としている。
【００２１】
前記第１の貫通孔内に導電性の絶縁膜溶液を供給すると共に、前記第２の貫通孔内に導電性液を供給し、前記第１の貫通孔内の絶縁膜溶液と前記第２の貫通孔内の導電性液との間に電圧を印加して、前記第１の貫通孔の内側面において、絶縁膜が形成される又は絶縁膜の形成状態が検査されてもよい。
【００２２】
前記第２の貫通孔内に供給される導電性液は、前記第１の貫通孔内に供給される絶縁膜溶液と同一であってもよい。
【００２３】
前記第１の貫通孔と前記第２の貫通孔は、それぞれ基板に複数形成されていてもよい。
【００２４】
前記第２の貫通孔は、接地線に接続される貫通電極用の貫通孔であってもよい。
【００２５】
前記第２の貫通孔は、基板においてスクライブラインとなる領域に形成されていてもよい。
【発明の効果】
【００２６】
本発明によれば、半導体装置の製造工程において基板を厚み方向に貫通する貫通孔の内側面に絶縁膜を適切に形成しつつ、当該半導体装置の製造工程のスループットを向上させることができる。
【図面の簡単な説明】
【００２７】
【図１】本実施の形態にかかる半導体装置の製造方法の主な工程を示すフローチャートである。
【図２】ウェハの構成の概略を示す縦断面図である。
【図３】ウェハに支持基板を配設した様子を示す説明図である。
【図４】ウェハを薄化した様子を示す説明図である。
【図５】ウェハにテンプレートを配設した様子を示す説明図である。
【図６】ウェハ上にエッチング液を供給した様子を示す説明図である。
【図７】ウェハに貫通孔を形成した様子を示す説明図である。
【図８】貫通孔内に電着絶縁膜溶液を供給した様子を示す説明図である。
【図９】電源用貫通孔の内側面と信号用貫通孔の内側面に電着絶縁膜を形成する様子を示す説明図である。
【図１０】電源用貫通孔（信号用貫通孔）内の電着絶縁膜溶液から接地用貫通孔内の電着絶縁膜溶液に電流が流れる様子を示す平面視における説明図である。
【図１１】電源用貫通孔（信号用貫通孔）の内側面と底面を分割して示した説明図である。
【図１２】接地用貫通孔内の電着絶縁膜溶液と電源用貫通孔内の電着絶縁膜溶液との間に電圧を印加し、電源用貫通孔の内側面の電着絶縁膜を検査する様子を示す説明図である。
【図１３】一対の信号用貫通孔内の電着絶縁膜溶液間に電圧を印加し、信号用貫通孔の内側面の電着絶縁膜を検査する様子を示す説明図である。
【図１４】貫通孔内にめっき液を供給した様子を示す説明図である。
【図１５】貫通孔内に貫通電極を形成した様子を示す説明図である。
【図１６】貫通電極上にバンプを形成した様子を示す説明図である。
【図１７】半導体装置が製造された様子を示す説明図である。
【図１８】他の実施の形態にかかるウェハとテンプレートの構成の概略を示す縦断面図である。
【図１９】他の実施の形態において、電源用貫通孔の内側面と信号用貫通孔の内側面に電着絶縁膜を形成する様子を示す説明図である。
【図２０】他の実施の形態において貫通孔内に貫通電極を形成し、さらに貫通電極上にバンプを形成した様子を示す説明図である。
【図２１】他の実施の形態において、半導体装置が製造された様子を示す説明図である。
【図２２】他の実施の形態にかかるウェハの構成の概略を示す縦断面図である。
【図２３】他の実施の形態にかかるウェハの構成の概略を示す平面図である。
【図２４】他の実施の形態において、ウェハにテンプレートを配設した様子を示す説明図である。
【図２５】他の実施の形態において、ウェハに貫通孔を形成した様子を示す説明図である。
【図２６】他の実施の形態において、貫通孔内に電着絶縁膜溶液を供給した様子を示す説明図である。
【図２７】他の実施の形態において、接地用貫通孔の内側面、電源用貫通孔の内側面及び信号用貫通孔の内側面に電着絶縁膜を形成する様子を示す説明図である。
【図２８】他の実施の形態において、貫通孔内に貫通電極を形成した様子を示す説明図である。
【図２９】他の実施の形態において、接地用貫通電極、電源用貫通電極及び信号用貫通電極上にバンプを形成した様子を示す説明図である。
【図３０】他の実施の形態において、半導体装置が製造された様子を示す説明図である。
【図３１】他の実施の形態において、電源用貫通孔の内側面と信号用貫通孔の内側面に電着絶縁膜を形成する様子を示す説明図である。
【発明を実施するための形態】
【００２８】
以下、本発明の実施の形態について説明する。本実施の形態では、本発明にかかる半導体装置の製造方法と、当該製造方法によって製造される半導体装置について説明する。図１は、本実施の形態にかかる半導体装置の製造方法の主な処理フローを示している。なお、以下の説明で用いる図面において、各構成要素の寸法は、技術の理解の容易さを優先させるため、必ずしも実際の寸法に対応していない。
【００２９】
先ず、図２に示すように基板としてのウェハ１０において、例えばシリコンからなる導電層としてのバルク層１１上にデバイス層１２を形成する（図１の工程Ｓ１）。以下、バルク層１１において、デバイス層１２側の面を表面１１ａといい、デバイス層１２と反対側の面を裏面１１ｂという。また、デバイス層１２において、バルク層１１と反対側の面を表面１２ａといい、バルク層１１側の面を裏面１２ｂという。
【００３０】
デバイス層１２には、金属の接地線１３、金属の電源線１４、金属の信号線１５が形成されている。図２では接地線１３、電源線１４、信号線１５はそれぞれ１つずつ図示されているが、実際にはデバイス層１２内に複数形成されている。またデバイス層１２には、図示はしないが、その他の配線や、種々の回路、電極等も形成されている。上記接地線１３、電源線１４、信号線１５は、絶縁膜１６に覆われている。この絶縁膜１６によって、デバイス層１２は全体として絶縁層を構成している。
【００３１】
なおウェハ１０には、後述するようにウェハ１０を厚み方向に貫通する貫通孔４０〜４２（図２の点線部）が形成される。
【００３２】
その後、図３に示すようにデバイス層１２の表面１２ａに支持基板２０を配設する（図１の工程Ｓ２）。支持基板２０はデバイス層１２の表面１２ａを覆うように配置される。また、支持基板２０は例えば剥離可能な接着剤によってデバイス層１２と接着される。なお、支持基板２０にはシリコンウェハやガラス基板が用いられる。
【００３３】
なお、ウェハ１０又は支持基板２０のいずれか一方には、貫通孔４０〜４２と対応する位置に、図示しない電極（以下、「ウェハ側電極」という。）が設けられている。
【００３４】
その後、図４に示すようにバルク層１１の裏面１１ｂを研磨し、ウェハ１０を薄化する（図１の工程Ｓ３）。この工程Ｓ３において、ウェハ１０の表裏面を反転させ、バルク層１１の下方にデバイス層１２を配置する。また工程Ｓ３の後は、ウェハ１０が薄化された状態で後続の工程が行われるが、支持基板２０がウェハ１０に十分な強度を与えるので、搬送時のウェハ１０の割れなどを防止することができる。
【００３５】
その後、図５に示すようにバルク層１１の裏面１１ｂ側にテンプレート３０を配設する。テンプレート３０は、例えば略円盤形状を有し、ウェハ１０の平面視における形状と同一の形状を有している。なお、テンプレート３０には例えば炭化珪素（ＳｉＣ）などが用いられる。
【００３６】
テンプレート３０には、種々の処理液を流通させるための流通路３１が複数形成されている。複数の流通路３１は、テンプレート３０がウェハ１０に配置された際に、当該ウェハ１０における貫通孔４０〜４２の形成位置に対向する位置に形成されている。各流通路３１はテンプレート３０を厚み方向に貫通し、流通路３１の両端部は開口している。また、各流通路３１の側面には、電極３２が設けられている。
【００３７】
その後、図６に示すように流通路３１を介してウェハ１０上にエッチング液Ｅを供給する。そして、ウェハ側電極とエッチング液Ｅが電気的に接続される。なお、エッチング液Ｅとしては、例えばフッ酸とイソプロピルアルコールの混合液（ＨＦ／ＩＰＡ）やフッ酸とエタノールの混合液などが用いられる。
【００３８】
その後、例えば電源装置（図示せず）により、ウェハ側電極を陰極とし、テンプレート３０の電極３２を陽極として、エッチング液Ｅに電圧を印加する。そうすると、エッチング液Ｅによってウェハ１０の電界エッチングが行われ、すなわちエッチング液Ｅがウェハ１０をエッチングしながら当該ウェハ１０の内部に進入する。そして、図７に示すようにウェハ１０に貫通孔４０〜４２が形成される（図１の工程Ｓ４）。なお貫通孔４０〜４２が形成されると、エッチング液Ｅは除去される。
【００３９】
これら貫通孔４０〜４２は、ウェハ１０を完全に貫通していないが、後述するように貫通孔４０〜４２内に形成される貫通電極７０〜７２がウェハ１０の表面と裏面との間を電気的に接続することから、このように称する。そして具体的には、貫通孔４０〜４２は、ウェハ１０のバルク層１１を厚み方向に貫通し、さらにデバイス層１２において接地線１３、電源線１４、信号線１５に達する位置まで形成される。以下、接地線１３に対応する位置に形成される貫通孔４０を接地用貫通孔４０といい、電源線１４に対応する位置に形成される貫通孔４１を電源用貫通孔４１といい、信号線１５に対応する位置に形成される貫通孔４２を信号用貫通孔４２という。なお、接地用貫通孔４０が本発明における第２の貫通孔に対応し、電源用貫通孔４１と信号用貫通孔４２がそれぞれ本発明における第１の貫通孔に対応している。
【００４０】
その後、図８に示すように流通路３１を介してウェハ１０上に電着絶縁膜溶液Ｄを供給する。供給された電着絶縁膜溶液Ｄは、貫通孔４０〜４２内にそれぞれ進入する。なお電着絶縁膜溶液Ｄには、導電性を有し、且つ後述するように貫通孔４０〜４２内に電着絶縁膜５０を形成するための液が用いられる。本実施の形態では、電着絶縁膜溶液Ｄとして、例えばカチオン型（陽イオン）の電着ポリイミド溶液が用いられる。
【００４１】
その後、例えば電源装置（図示せず）により、図９に示すようにテンプレート３０の電極３２を介して、接地用貫通孔４０内の電着絶縁膜溶液Ｄを陰極とし、電源用貫通孔４１内の電着絶縁膜溶液Ｄと信号用貫通孔４２内の電着絶縁膜溶液Ｄをそれぞれ陽極として電圧（バイアス電圧）を印加する。そうすると、図９及び図１０に示すように電源用貫通孔４１の側面から接地用貫通孔４０の側面に向かってバルク層１１内を電流が流れる。同様に信号用貫通孔４２の側面から接地用貫通孔４０の側面に向かってバルク層１１内を電流が流れる。
【００４２】
ここで、図１１に示すように電源用貫通孔４１において、バルク層１１に接する側面を第１の内側面４１１とし、デバイス層１２に接する側面を第２の内側面４１２とし、電源線１４に接する底面を第３の底面４１３とする。同様に信号用貫通孔４２において、バルク層１１に接する側面を第１の内側面４２１とし、デバイス層１２に接する側面を第２の内側面４２２とし、信号線１５に接する底面を第３の底面４２３とする。
【００４３】
バルク層１１は導電層であるため、電源用貫通孔４１の第１の内側面４１１から接地用貫通孔４０の側面に向かってバルク層１１内を上述した電流が流れる。この電流によって、バルク層１１における電源用貫通孔４１の第１の内側面４１１に電着絶縁膜５０が形成される。同様に、信号用貫通孔４２においてもバルク層１１に接する第１の内側面４２ａに電着絶縁膜５０が形成される（図１の工程Ｓ５）。
【００４４】
一方、デバイス層１２は絶縁層であるため、当該デバイス層１２内に電流が流れない。したがって、デバイス層１２における電源用貫通孔４１の第２の内側面４１２には電着絶縁膜が形成されない。同様に、信号用貫通孔４２においてもデバイス層１２に接する第２の内側面４２２に電着絶縁膜が形成されない。このように電源用貫通孔４１の第２の内側面４１２と信号用貫通孔４２の第２の内側面４２２に電着絶縁膜が形成されなくても、もともとデバイス層１２が絶縁層であるため、問題はない。
【００４５】
また、電源線１４側にも電流が流れないので、電源用貫通孔４１の第３の底面４１３にも電着絶縁膜が形成されない。同様に、信号用貫通孔４２の第３の底面４２３にも電着絶縁膜が形成されない。従来の蒸着重合であれば、電源用貫通孔４１と信号用貫通孔４２内に絶縁膜を形成する際、第３の底面４１３、４２３にも絶縁膜が形成されていた為、当該絶縁膜を別途除去する必要があった。この点、本実施の形態によれば、第３の底面４１３、４２３に電着絶縁膜が形成されないので、従来の絶縁膜を除去する工程を省略することができる。
【００４６】
なお、電着絶縁膜溶液Ｄはカチオン型であるため、工程Ｓ５において接地用貫通孔４０の内側面に電着絶縁膜は形成されない。
【００４７】
この工程Ｓ５において、接地用貫通孔４０と、電源用貫通孔４１及び信号用貫通孔４２との間を流れる電流の電流値を制御部６０で測定し、電着絶縁膜の形成状態を検査する。具体的には、電源用貫通孔４１の第１の内側面４１１と信号用貫通孔４２の第１の内側面４２１の電着絶縁膜が成長するにつれ、制御部６０で測定される電流値は変化し、すなわち電流値が小さくなる。そして、電源用貫通孔４１の第１の内側面４１１と信号用貫通孔４２の第１の内側面４２１に電着絶縁膜５０が完全に形成されると、電流が流れなくなる。このとき制御部６０では、電流値がゼロと測定され、電着絶縁膜５０の形成が終了したと判定されて、電源装置（図示せず）による電圧の印加が停止される。
【００４８】
なお、例えば電着絶縁膜溶液Ｄとしてアニオン型（陰イオン）の溶液が用いられる場合には、工程Ｓ５において接地用貫通孔４０内の電着絶縁膜溶液Ｄを陽極とし、電源用貫通孔４１内の電着絶縁膜溶液Ｄと信号用貫通孔４２内の電着絶縁膜溶液Ｄをそれぞれ陰極として電圧を印加すればよい。そうすると、バルク層１１における電源用貫通孔４１の第１の内側面４１１と、バルク層１１における信号用貫通孔４２の第１の内側面４２１に、それぞれ電着絶縁膜５０が形成される。
【００４９】
工程Ｓ５における電着絶縁膜５０の形成が終了すると、当該電着絶縁膜５０が適切に形成されているか否かを検査してもよい。そして検査の結果、工程Ｓ５において電着絶縁膜５０が適切に形成されていなかった場合には、電着絶縁膜５０が修復されて当該電着絶縁膜５０が適切に形成される（図１の工程Ｓ６）。
【００５０】
工程Ｓ６では、例えば図１２に示すように接地用貫通孔４０内の電着絶縁膜溶液Ｄを陰極とし、電源用貫通孔４１内の電着絶縁膜溶液Ｄを陽極として電圧（バイアス電圧）を印加する。続いて、制御部６０によって接地用貫通孔４０と電源用貫通孔４１との間を流れる電流の電流値を測定する。そして、制御部６０で測定される電流値がゼロであった場合、すなわち電流が流れなかった場合、工程Ｓ５において電着絶縁膜５０が適切に形成されていたことになる。
【００５１】
一方、制御部６０で測定される電流値がゼロより大きい場合、すなわちリーク電流が存在する場合、工程Ｓ５において電着絶縁膜５０が適切に形成されてなかったことになる。かかる場合、制御部６０で測定される電流値がゼロになるまで、接地用貫通孔４０と電源用貫通孔４１内の電着絶縁膜溶液Ｄにさらに電圧を印加する。そうすると、電源用貫通孔４１の第１の内側面４１１の電着絶縁膜５０が修復され、電流が流れなくなった際に、当該電着絶縁膜５０が適切に形成される。この電着絶縁膜５０の修復においても、上記工程Ｓ５と同様に、バルク層１１における電源用貫通孔４１の第１の内側面４１１にのみ電着絶縁膜５０が形成され、第２の内側面４１２と第３の底面４１３には電着絶縁膜が形成されない。したがって、電着絶縁膜５０の修復を適切且つ効率よく行うことができる。
【００５２】
同様の方法で工程Ｓ６において、接地用貫通孔４０内の電着絶縁膜溶液Ｄと、信号用貫通孔４２内の電着絶縁膜溶液Ｄとの間に電圧を印加し、信号用貫通孔４２内の電着絶縁膜５０の検査と修復が行われてもよい。
【００５３】
また工程Ｓ６では、例えば図１３に示すように一対の信号用貫通孔４２、４２内の電着絶縁膜溶液Ｄ間に電圧を印加してもよい。制御部６０によって一対の信号用貫通孔４２、４２間を流れる電流の電流値を測定する。そして、制御部６０で測定される電流値がゼロであった場合、すなわち電流が流れなかった場合、工程Ｓ５において電着絶縁膜５０が適切に形成されていたことになる。
【００５４】
一方、制御部６０で測定される電流値がゼロより大きい場合、すなわちリーク電流が存在する場合、工程Ｓ５において電着絶縁膜５０が適切に形成されてなかったことになる。かかる場合、制御部６０で測定される電流値がゼロになるまで、一対の信号用貫通孔４２、４２内の電着絶縁膜溶液Ｄ間にさらに電圧を印加する。そうすると、一の信号用貫通孔４２の第１の内側面４２１の電着絶縁膜５０が修復され、電流が流れなくなった際に、当該電着絶縁膜５０が適切に形成される。
【００５５】
なお工程Ｓ５と工程Ｓ６が終了し、電源用貫通孔４１の第１の内側面４１１と信号用貫通孔４２の第１の内側面４２１にそれぞれ電着絶縁膜５０が適切に形成されると、電着絶縁膜溶液Ｄが除去される。
【００５６】
その後、貫通孔４０〜４２に形成される後述の貫通電極７０〜７２が銅からなる場合には、必要に応じて、貫通孔４０〜４２の内部に例えばニッケルからなるバリア膜が形成される。このバリア膜は、例えば上述した工程Ｓ４のエッチング処理や後述する工程Ｓ７のめっき処理と同様の方法で形成される。
【００５７】
その後、図１４に示すように流通路３１を介してウェハ１０上にめっき液Ｍを供給する。供給されためっき液Ｍは、貫通孔４０〜４２内にそれぞれ進入する。そして、ウェハ側電極とめっき液Ｍが電気的に接続される。なお、めっき液Ｍとしては、例えば電解銅めっき液などが用いられる。
【００５８】
その後、例えば電源装置（図示せず）により、ウェハ側電極を陰極とし、テンプレート３０の電極３２を陽極として、めっき液Ｍに電圧を印加する。そして、貫通孔４０〜４２内のめっき液Ｍに対して電界めっきが行われ、図１５に示すように貫通孔４０〜４２内にそれぞれ貫通電極７０〜７２が形成される（図１の工程Ｓ７）。
【００５９】
以下、接地用貫通孔４０内に形成され、接地線１３に接続される貫通電極７０を接地用貫通電極７０といい、電源用貫通孔４１内に形成され、電源線１４に接続される貫通電極７１を電源用貫通電極７１といい、信号用貫通孔４２内に形成され、信号線１５に接続される貫通電極７２を信号用貫通電極７２という。
【００６０】
その後、図１６に示すように貫通電極７０〜７２上のめっき液Ｍに対してさらに電界めっきが行われ、当該貫通電極７０〜７２上にバンプ７３がそれぞれ形成される（図１の工程Ｓ８）。なおバンプ７３が形成されると、めっき液Ｍが除去される。
【００６１】
その後、ウェハ側電極と貫通電極７０〜７２を電気的に非接続の状態にして、貫通電極７０〜７２を電気的に独立させる。そして、テンプレート３０の電極３２を電気的試験の電極として用いて、ウェハ１０の貫通電極７０〜７２やデバイス層１２の電子回路等の電気的特性の検査を行う。この検査が終了すると、テンプレート３０をウェハ１０の上方から退避させる。
【００６２】
その後、例えばウェハ接合装置（図示せず）において、図１７に示すように積層されるウェハ１０の接地線１３、電源線１４及び信号線１５と、貫通電極７０〜７２上のバンプ７３とがそれぞれ導通するように複数のウェハ１０が接合される。このとき、ウェハ１０と支持基板２０の剥離も行われる。こうしてウェハ１０が３次元的に積層された半導体装置１００が製造される（図１の工程Ｓ９）。
【００６３】
以上の実施の形態によれば、工程Ｓ５において、接地用貫通孔４０内の電着絶縁膜溶液Ｄを陰極とし、電源用貫通孔４１内の電着絶縁膜溶液Ｄと信号用貫通孔４２内の電着絶縁膜溶液Ｄをそれぞれ陽極として電圧を印加すると、電源用貫通孔４１の側面から接地用貫通孔４０の側面に向かってバルク層１１内を電流が流れる。そうすると、この電流によってバルク層１１における電源用貫通孔４１の第１の内側面４１１に電着絶縁膜５０を形成することができる。同様に、信号用貫通孔４２の側面から接地用貫通孔４０の側面に向かってバルク層１１内を電流が流れ、バルク層１１における信号用貫通孔４２の第１の内側面４２１にも電着絶縁膜５０を形成することができる。
【００６４】
またウェハ１０には接地用貫通孔４０、電源用貫通孔４１、信号用貫通孔４２がそれぞれ複数形成される。かかる場合でも工程Ｓ５において、すべての接地用貫通孔４０内の電着絶縁膜溶液Ｄを陰極とし、すべての電源用貫通孔４１とすべての信号用貫通孔４２内の電着絶縁膜溶液Ｄをそれぞれ陽極として電圧を印加すると、電源用貫通孔４１の第１の内側面４１１と信号用貫通孔４２の第１の内側面４２１にそれぞれ電着絶縁膜５０を選択的に形成することができる。
【００６５】
また工程Ｓ５において、このように電源用貫通孔４１の第１の内側面４１１と信号用貫通孔４２の第１の内側面４２１に電着絶縁膜５０がそれぞれ形成されることにより、その後工程Ｓ６において形成される電源用貫通電極７１と信号用貫通電極７２をそれぞれ適切に機能させることができる。
【００６６】
なお工程Ｓ５において、接地用貫通孔４０の内側面には電着絶縁膜が形成されないが、当該接地用貫通孔４０内に形成される接地用貫通電極７０は接地線１３に接続されるので、接地用貫通電極７０も適切に機能させることができる。
【００６７】
また工程Ｓ５では、従来の蒸着重合のように電源用貫通孔４１と信号用貫通孔４２の第３の底面４１３、４２３やウェハ１０の裏面上に絶縁膜が形成されないので、この絶縁膜を除去する工程を省略することができる。したがって、本実施の形態によれば、半導体装置１００の製造工程のスループットを向上させることができる。
【００６８】
また工程Ｓ５において、このように電源用貫通孔４１と信号用貫通孔４２の第３の底面４１３、４２３には電着絶縁膜が形成されないので、その後工程Ｓ７において電源用貫通孔４１と信号用貫通孔４２内にめっき液を供給する際、当該めっき液を電源線１４と信号線１５上にそれぞれ適切に供給できる。このため、電源用貫通電極７１と信号用貫通電極７２を適切に形成することができ、これら電源用貫通電極７１と信号用貫通電極７２をそれぞれ電源線１４と信号線１５に効率よく接続させることができる。
【００６９】
また工程Ｓ５において、接地用貫通孔４０と、電源用貫通孔４１及び信号用貫通孔４２との間を流れる電流の電流値を制御部６０で測定して、電着絶縁膜の形成状態を検査することができる。そして、制御部６０において電流値がゼロと測定された際に、電着絶縁膜５０の形成が終了したと判定されるので、電源用貫通孔４１の第１の内側面４１１と信号用貫通孔４２の第１の内側面４２１にそれぞれ電着絶縁膜５０を適切に形成することができる。
【００７０】
さらに工程Ｓ６において、接地用貫通孔４０と電源用貫通孔４１との間、接地用貫通孔４０と信号用貫通孔４２との間、或いは一対の信号貫通孔４２、４２間に電圧を印加することにより、電源用貫通孔４１からのリーク電流の有無と信号貫通孔４２からのリーク電流の有無を検査することができ、工程Ｓ５において電着絶縁膜５０が適切に形成されているかを検査することができる。そして検査の結果、電着絶縁膜５０が適切に形成されていなかった場合には、上記電圧をさらに印加することにより、電着絶縁膜５０が修復される。したがって、電源用貫通孔４１の第１の内側面４１１と信号用貫通孔４２の第１の内側面４２１にそれぞれ電着絶縁膜５０をより適切に形成することができる。
【００７１】
以上の実施の形態の工程Ｓ５では、接地用貫通孔４０、電源用貫通孔４１及び信号用貫通孔４２内に、それぞれ同一の電着絶縁膜溶液Ｄを供給していたが、接地用貫通孔４０内に供給される液は導電性を有する液であれば、電着絶縁膜溶液Ｄに限定されない。但し、テンプレート３０を用いて液を供給する場合、すべての貫通孔４０〜４２に同一の電着絶縁膜溶液Ｄを供給した方が効率がよい。また、電源用貫通孔４１と信号用貫通孔４２に供給される電着絶縁膜溶液Ｄに、異なる液が混合されるおそれがないので、当該電源用貫通孔４１の第１の内側面４１１と信号用貫通孔４２の第１の内側面４２１にそれぞれ電着絶縁膜５０を適切に形成することができる。
【００７２】
以上の実施の形態では、接地線１３、電源線１４、信号線１５に対して、それぞれ１つの貫通電極７０〜７２を形成して接続していたが、例えば２つの貫通電極を接続してもよい。
【００７３】
かかる場合、図１８に示すようにウェハ１０には、厚み方向に貫通する一対の接地用貫通孔４０ａ、４０ｂ、一対の電源用貫通孔４１ａ、４１ｂ、一対の信号用貫通孔４２ａ、４２ｂ（図１８の点線部）が形成される。またテンプレート３０には、これら貫通孔４０ａ〜４２ｂの形成位置に対向する位置に複数の流通路３１が形成され、さらに各流通路３１の側面には電極３２が設けられている。
【００７４】
そして、工程Ｓ４において電界エッチングを行い上述した貫通孔４０ａ〜４２ｂを形成した後、工程Ｓ５において、図１９に示すようにバルク層１１における電源用貫通孔４１ａ、４１ｂの第１の内側面４１１と、バルク層１１における信号用貫通孔４２ａ、４２ｂの第１の内側面４２１に、それぞれ電着絶縁膜５０を形成する。また工程Ｓ６において、電源用貫通孔４１ａ、４１ｂからのリーク電流の有無と信号貫通孔４２ａ、４２ｂからのリーク電流の有無を検査して、工程Ｓ５において形成された電着絶縁膜５０の適否を検査し、さらに電着絶縁膜５０が適切に形成されていないと判断された場合には、当該電着絶縁膜５０を修復する。なお、これら工程Ｓ５、Ｓ６の方法は、上記実施の形態における工程Ｓ５、Ｓ６の方法と同様であるので説明を省略する。
【００７５】
その後、工程Ｓ７において電界めっきを行い、図２０に示すように各貫通孔４０ａ〜４２ｂ内に、それぞれ接地用貫通電極７０ａ、７０ｂ、電源用貫通電極７１ａ、７１ｂ、信号用貫通電極７２ａ、７２ｂを形成する。その後、工程Ｓ８においてさらに電界めっきを行い、各貫通電極７０ａ〜７２ｂ上にバンプ７３を形成する。なお、これら工程Ｓ７、Ｓ８の方法は、上記実施の形態における工程Ｓ７、Ｓ８の方法と同様であるので説明を省略する。
【００７６】
その後、工程Ｓ９において複数のウェハ１０を積層して接合し、図２１に示すように半導体装置１００が製造される。
【００７７】
ここで、半導体チップ（半導体デバイス）の３次元集積方法としては、デバイスの形成されたウェハを半導体チップに切り出した後に積層するチップ積層方式と、本実施の形態のように半導体チップに切り出す前にウェハレベルで積層していくウェハ積層方式とがある。チップ積層方式であれば良品チップのみを積層すればよいので高い歩留まりを得ることができるが、生産性が悪くなってしまう。ある程度の良品チップ率が期待できるのであれば、高い生産性を得られるウェハ積層方式を行うことが望ましい。しかしながら、ウェハ積層方式においては、良品チップ率が１００％でない限り、良品チップと不良品チップの混載された半導体装置が出来あがってしまうのである。このように不良品チップが存在していると、積層された複数の半導体チップは貫通電極で電気的に接続されているため、当該不良品チップの影響が良品チップにも及ぶ場合がある。かかる場合、良品チップも不良品となり、半導体装置自体も不良品となってしまう。したがって、半導体装置の歩留まり低下が生じることになる。
【００７８】
この点、本実施の形態によれば、ウェハ１０に不良品チップがある場合、例えば工程Ｓ８において、当該不良品チップの信号線１５に接続される一の信号線用貫通電極７０ａ上にバンプ７３を形成しないようにすればよい。そうすると、当該不良品チップが良品チップと電気的に分離され、且つ不良品チップの影響が他の良品チップに及ばない。一方、工程Ｓ８において、他の信号用貫通電極７０ｂ上にバンプ７３を形成すれば、不良品チップの上下に積層された良品チップを電気的に接続することができる。したがって、不良品チップが存在しても半導体装置１００を良品にすることができ、半導体装置１００の歩留まりを向上させることができる。
【００７９】
以上の実施の形態では、ウェハ１０に貫通孔４０〜４２を形成していたが、さらにウェハ１０のスクライブラインとなる領域に貫通孔を形成してもよい。なお、スクライブラインとは、ウェハ１０が切断され複数の半導体チップに分割される際のラインのことである。
【００８０】
かかる場合、図２２及び図２３に示すようにウェハ１０のデバイス層１２には、接地線１３、電源線１４及び信号線１５を備えたデバイス２００が複数形成されている。デバイス２００は、ウェハ面内均一に複数形成されている。また複数のデバイス２００間には、スクライブライン２０１が形成されている。このスクライブライン２０１に、図２２に示すように犠牲貫通孔２１０が形成される（図２２の点線部）。
【００８１】
そして図２４に示すように、工程Ｓ３においてウェハ１０を薄化した後、ルク層１１の裏面１１ｂ側にテンプレート３０を配設する。テンプレート３０には、これら貫通孔４０〜４２、２１０の形成位置に対向する位置に複数の流通路３１が形成され、さらに各流通路３１の側面には電極３２が設けられている。
【００８２】
その後、工程Ｓ４において、図２５に示すように流通路３１を介してウェハ１０上にエッチング液Ｅを供給する。そして、ウェハ側電極とエッチング液Ｅが電気的に接続される。その後、例えば電源装置（図示せず）により、ウェハ側電極を陰極とし、テンプレート３０の電極３２を陽極として、エッチング液Ｅに電圧を印加する。そうすると、エッチング液Ｅによってウェハ１０の電界エッチングが行われ、ウェハ１０に貫通孔４０〜４２、２１０が形成される。以下、貫通孔２１０を犠牲貫通孔２１０という。犠牲貫通孔２１０は、ウェハ１０のバルク層１１とデバイス層１２を厚み方向に貫通する。なお犠牲貫通孔２１０は、本発明における第２の貫通孔に対応している。また本実施の形態においては、接地用貫通孔４０は本発明における第１の貫通孔に対応している。
【００８３】
その後、工程Ｓ５において、図２６に示すように流通路３１を介してウェハ１０上に電着絶縁膜溶液Ｄを供給する。供給された電着絶縁膜溶液Ｄは、貫通孔４０〜４２、２１０内にそれぞれ進入する。
【００８４】
その後、例えば電源装置（図示せず）により、図２７に示すように犠牲貫通孔２１０内の電着絶縁膜溶液Ｄを陰極とし、接地用貫通孔４０内の電着絶縁膜溶液Ｄ、電源用貫通孔４１内の電着絶縁膜溶液Ｄ、及び信号用貫通孔４２内の電着絶縁膜溶液Ｄをそれぞれ陽極として電圧を印加する。そうすると、接地用貫通孔４０の側面、電源用貫通孔４１の側面及び信号用貫通孔４２の側面から犠牲貫通孔２１０の側面に向かってバルク層１１内を電流が流れる。この電流によって、バルク層１１における接地用貫通孔４０の内側面と、バルク層１１における電源用貫通孔４１の第１の内側面４１１と、バルク層１１における信号用貫通孔４２の第１の内側面４２１に、それぞれ電着絶縁膜５０が形成される。一方、犠牲貫通孔２１０の内側面には電着絶縁膜５０は形成されない。
【００８５】
なお本実施の形態では、上記実施の形態と異なり、バルク層１１における接地用貫通孔４０の内側面にも電着絶縁膜５０を形成したが、かかる場合でも当該設置用貫通孔４０内に形成される接地用貫通電極７０を適切に機能させることができる。
【００８６】
その後、工程Ｓ６において、電源用貫通孔４１からのリーク電流の有無と信号貫通孔４２からのリーク電流の有無を検査して、工程Ｓ５において形成された電着絶縁膜５０の適否を検査する。さらに電着絶縁膜５０が適切に形成されていないと判断された場合には、当該電着絶縁膜５０を修復する。この工程Ｓ６の方法は、上記実施の形態における工程Ｓ６の方法と同様であるので説明を省略する。なお工程Ｓ６において、接地用貫通孔４０の内側面に形成された電着絶縁膜５０を検査し、さらに修復してもよい。しかしながら、当該電着絶縁膜５０の有無によらず、接地用貫通電極７０は適切に機能するので、接地用貫通孔４０に対する工程Ｓ６を行わなくてもよい。
【００８７】
その後、工程Ｓ７において、図２８に示すように流通路３１を介してウェハ１０上にめっき液Ｍを供給する。供給されためっき液Ｍは、貫通孔４０〜４２、２１０内にそれぞれ進入する。そして、ウェハ側電極とめっき液Ｍが電気的に接続される。その後、例えば電源装置（図示せず）により、ウェハ側電極を陰極とし、テンプレート３０の電極３２を陽極として、めっき液Ｍに電圧を印加する。そうすると、貫通孔４０〜４２、２１０内のめっき液Ｍに対して電界めっきが行われ、ウェハ１０に貫通孔４０〜４２、２１０内に貫通電極７０〜７２、２２０が形成される。以下、貫通電極２２０を犠牲貫通電極２２０という。
【００８８】
その後、工程Ｓ８において、図２９に示すように貫通電極７０〜７２上のめっき液Ｍに対してさらに電界めっきが行われ、当該貫通電極７０〜７２上にバンプ７３がそれぞれ形成される。このとき、犠牲貫通電極２２０には電界めっきが行われず、当該犠牲貫通電極２２０上にバンプが形成されない。
【００８９】
その後、工程Ｓ９において、図３０に示すように積層されるウェハ１０の接地線１３、電源線１４及び信号線１５と、貫通電極７０〜７２上のバンプ７３がそれぞれ導通するように複数のウェハ１０が接合される。こうして半導体装置１００が製造される。
【００９０】
このとき、犠牲貫通電極２２０上にはバンプが形成されていないので、積層されるウェハ１０において犠牲貫通電極２２０は電気的に接続されない。犠牲貫通電極２２０はスクライブラインに形成されるので、ウェハ１０が切断され複数の半導体チップに分割される際に犠牲貫通電極２２０は除去される。なお、このようにスクライブライン２０１における貫通電極を電気的に接続しないようにするため、工程Ｓ７において犠牲貫通孔２１０内に犠牲貫通電極を形成しないようにしてもよい。
【００９１】
本実施の形態においても、上記実施の形態と同様の効果を享受することができる。すなわち、接地用貫通孔４０、電源用貫通孔４１及び信号用貫通孔４２に電着絶縁膜５０を適切に成膜しつつ、半導体装置１００の製造工程のスループットを向上させることができる。
【００９２】
なお、以上の実施の形態では、工程Ｓ５において接地用貫通孔４０の内側面に電着絶縁膜５０を形成していたが、この電着絶縁膜５０を形成しないようにしてもよい。かかる場合、図３１に示すように接地用貫通孔４０内の電着絶縁膜溶液Ｄ及び犠牲貫通孔２１０内の電着絶縁膜溶液Ｄをそれぞれ陰極とし、電源用貫通孔４１内の電着絶縁膜溶液Ｄ及び信号用貫通孔４２内の電着絶縁膜溶液Ｄをそれぞれ陽極として電圧を印加する。そうすると、電源用貫通孔４１の側面及び信号用貫通孔４２の側面から、接地用貫通孔４０の側面及び犠牲貫通孔２１０の側面に向かって、バルク層１１内を電流が流れる。この電流によって、バルク層１１における電源用貫通孔４１の第１の内側面４１１とバルク層１１における信号用貫通孔４２の第１の内側面４２１に、それぞれ電着絶縁膜５０が形成される。一方、接地用貫通孔４０の内側面と犠牲貫通孔２１０の内側面には、電着絶縁膜は形成されない。
【００９３】
以上の実施の形態の工程Ｓ６で行われる電着絶縁膜５０の検査と修復は、当該電着絶縁膜５０の形成方法によらずに行うことができる。すなわち、本実施の形態の工程Ｓ５のようにテンプレート３０を用いて電着絶縁膜５０を形成する場合に限らず、例えば従来のように蒸着重合によって貫通孔内に形成された電着絶縁膜に対しても、上記工程Ｓ６を行えば、電着絶縁膜を検査でき、さらに修復することができる。なお、この工程Ｓ６で行われる電着絶縁膜５０の検査と修復が、他の工程Ｓ１〜Ｓ４、Ｓ７〜Ｓ９の方法にも限定されないのはいうまでもない。
【００９４】
また工程Ｓ４における貫通孔４０〜４２、２１０の形成や工程Ｓ６、Ｓ７における貫通電極７０〜７２、２２０とバンプ７３の形成は、上記実施の形態の方法に限定されない。例えば貫通孔４０〜４２、２１０の形成は、工程Ｓ３のようにテンプレート３０を用いず、例えばフォトリソグラフィー処理及びエッチング処理によって行ってもよい。また例えば貫通電極７０〜７２、２２０とバンプ７３の形成も、工程Ｓ６、Ｓ７のようにテンプレート３０を用いず、例えばめっき層に浸漬することで行ってもよい。
【００９５】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。本発明はこの例に限らず種々の態様を採りうるものである。
【符号の説明】
【００９６】
１０  ウェハ
１１  バルク層
１２  デバイス層
１３  接地線
１４  電源線
１５  信号線
１６  絶縁膜
２０  支持基板
３０  テンプレート
３１  流通路
３２  電極
４０  接地用貫通孔
４１  電源用貫通孔
４２  信号用貫通孔
５０  電着絶縁膜
６０  制御部
７０  接地用貫通電極
７１  電源用貫通電極
７２  信号用貫通電極
１００  半導体装置
２００  デバイス
２０１  スクライブライン
２１０  犠牲貫通孔
２２０  犠牲貫通電極
Ｄ    電着絶縁膜溶液
Ｅ    エッチング液
Ｍ    めっき液
【図１】
2014082291.tif 000003
【図２】
2014082291.tif 000004
【図３】
2014082291.tif 000005
【図４】
2014082291.tif 000006
【図５】
2014082291.tif 000007
【図６】
2014082291.tif 000008
【図７】
2014082291.tif 000009
【図８】
2014082291.tif 000010
【図９】
2014082291.tif 000011
【図１０】
2014082291.tif 000012
【図１１】
2014082291.tif 000013
【図１２】
2014082291.tif 000014
【図１３】
2014082291.tif 000015
【図１４】
2014082291.tif 000016
【図１５】
2014082291.tif 000017
【図１６】
2014082291.tif 000018
【図１７】
2014082291.tif 000019
【図１８】
2014082291.tif 000020
【図１９】
2014082291.tif 000021
【図２０】
2014082291.tif 000022
【図２１】
2014082291.tif 000023
【図２２】
2014082291.tif 000024
【図２３】
2014082291.tif 000025
【図２４】
2014082291.tif 000026
【図２５】
2014082291.tif 000027
【図２６】
2014082291.tif 000028
【図２７】
2014082291.tif 000029
【図２８】
2014082291.tif 000030
【図２９】
2014082291.tif 000031
【図３０】
2014082291.tif 000032
【図３１】
2014082291.tif 000033